(57)【要約】【課題】良好な視認性が得られるとともに、構造を小型化し、同一のタッチパネル面積において画面領域がより広くなるタッチパネルを提供する。【解決手段】本発明によるタッチパネルは、透明基板と、前記透明基板にメッシュ（ｍｅｓｈ）パターンに形成される電極２００と、前記透明基板に波形パターン（ｗａｖｙ  ｐａｔｔｅｒｎ）に形成され、長さ方向に沿って交互に連続する曲状の第１ピーク３１１及び第２ピーク３１２を有して、電極２００に連結される配線３１０と、を含むものである。【選択図】図４
2014038580.tif 000002
【特許請求の範囲】
【請求項１】
透明基板と、
前記透明基板にメッシュ（ｍｅｓｈ）パターンに形成される電極と、
前記透明基板に波形パターン（ｗａｖｙ  ｐａｔｔｅｒｎ）に形成され、長さ方向に沿って交互に連続する曲状の第１ピーク及び第２ピークを有して、前記電極に連結される配線と、を含むタッチパネル。
【請求項２】
前記電極は、同一形状の平行四辺形パターンが連続して配列されるメッシュパターンに形成され、前記電極の列パターンは、多数の前記平行四辺形パターンの第１対角線が第１方向の同一線上につながるように、前記平行四辺形パターンが第１方向に沿って連続して配列されている請求項１に記載のタッチパネル。
【請求項３】
前記配線は、前記電極の第１列パターンに近接して配置され、第１方向に長く形成される請求項２に記載のタッチパネル。
【請求項４】
前記第１列パターン側に向かう前記配線の第１ピークは、前記第１列パターンを形成する前記平行四辺形パターンの第２対角線方向に位置する頂点のうち前記配線側に近い頂点に直接連結される請求項３に記載のタッチパネル。
【請求項５】
前記配線の第１ピーク間の幅は、前記平行四辺形パターンの第１対角線の幅と同一である請求項４に記載のタッチパネル。
【請求項６】
前記電極と前記配線は、同一の材料で一体に形成される請求項１に記載のタッチパネル。
【請求項７】
前記透明基板は活性領域と非活性領域とに区画され、前記電極及び前記配線は前記活性領域に形成される請求項１に記載のタッチパネル。
【請求項８】
透明基板と、
前記透明基板にメッシュ（ｍｅｓｈ）パターンに形成され、前記メッシュパターンに切開部が形成されて第１電極と第２電極とに区画される電極アレイと、
前記透明基板に波形パターン（ｗａｖｙ  ｐａｔｔｅｒｎ）に形成され、長さ方向に沿って交互に連続する曲状の第１ピーク及び第２ピークを有する第１配線及び第２配線を含み、前記第１配線は前記第１電極に連結され、前記第２配線は前記第２電極に連結される配線アレイと、を含むタッチパネル。
【請求項９】
前記第１電極と前記第２電極は、前記電極アレイを形成する前記メッシュパターンに切開部が横方向に沿って形成されて縦方向に配置される請求項８に記載のタッチパネル。
【請求項１０】
前記第１電極及び前記第２電極は、同一形状の平行四辺形パターンが連続して配列されるメッシュパターンに形成され、前記第１電極の列パターン及び前記第２電極の列パターンは、多数の前記平行四辺形パターンの第１対角線が縦方向の同一線上につながるように、前記平行四辺形パターンが縦方向に連続して配列されている請求項９に記載のタッチパネル。
【請求項１１】
前記第１電極の第１列パターンは、前記第２電極の第２列パターンと同一線上に形成される請求項１０に記載のタッチパネル。
【請求項１２】
前記第１配線は、前記第１電極の第１列パターンに近接して配置され、縦方向に長く形成されて、前記第２配線は、前記第２電極の第１列パターンに近接して配置され、縦方向に長く形成される請求項１１に記載のタッチパネル。
【請求項１３】
前記第１配線及び前記第２配線の前記第１ピーク間の幅は、前記平行四辺形パターンの第１対角線の幅と同一である請求項１２に記載のタッチパネル。
【請求項１４】
前記第１電極の第１列パターン側に向かう前記第１配線の第１ピークは、前記第１電極の第１列パターンを形成する前記平行四辺形パターンの頂点のうち前記第１配線側に向かう頂点に直接連結される請求項１３に記載のタッチパネル。
【請求項１５】
前記第２電極の第１列パターン側に向かう前記第２配線の第１ピークは、前記第２電極の第１列パターンを形成する前記平行四辺形パターンの頂点のうち前記第２配線側に向かう頂点に直接連結される請求項１３に記載のタッチパネル。
【請求項１６】
前記透明基板には、前記第１配線と前記第２配線が互いに隣接して平行に配置される隣接区間が形成される請求項１３に記載のタッチパネル。
【請求項１７】
前記隣接区間で、前記第１配線の第２ピークと前記第２配線の第１ピークが互いに対向して離隔されている請求項１６に記載のタッチパネル。
【請求項１８】
前記隣接区間で、前記第１配線の第１ピークと前記第２配線の第２ピークとの間の直線距離が前記平行四辺形パターンの第２対角線の幅と同一であり、前記第１配線の第１ピークと前記第２配線の第２ピークとの間を連結する直線方向が前記直線方向に配置された前記平行四辺形パターンの第２対角線方向と一致する請求項１７に記載のタッチパネル。
【請求項１９】
前記電極アレイ及び前記配線アレイは、同一の材料で形成される請求項８に記載のタッチパネル。
【請求項２０】
前記透明基板は活性領域と非活性領域とに区画され、前記電極アレイ及び前記配線アレイは前記活性領域に形成される請求項８に記載のタッチパネル。
【発明の詳細な説明】
【技術分野】
【０００１】
本発明は、タッチパネルに関する。
【背景技術】
【０００２】
デジタル技術を用いるコンピュータが発達するにつれて、コンピュータの補助装置もともに開発されており、パソコン、携帯用送信装置、その他の個人用の情報処理装置などは、キーボード、マウスなどの様々な入力装置（Ｉｎｐｕｔ  Ｄｅｖｉｃｅ）を利用してテキスト及びグラフィック処理を行う。
【０００３】
しかし、情報化社会の急速な進行により、コンピュータの用途が益々拡大する傾向にあるため、現在入力装置の役割を担当しているキーボード及びマウスだけでは、効率的な製品の駆動が困難であるという問題点がある。従って、簡単で誤操作が少なく、誰でも簡単に情報を入力することができる機器の必要性が高まっている。
【０００４】
また、入力装置に関する技術は、一般的な機能を満たす水準を越えて、高信頼性、耐久性、革新性、設計及び加工に関する技術などが注目されており、このような目的を達成するために、テキスト、グラフィックなどの情報入力が可能な入力装置としてタッチパネル（Ｔｏｕｃｈ  Ｐａｎｅｌ）が開発された。
【０００５】
このようなタッチパネルは、電子手帳、液晶表示装置（ＬＣＤ；Ｌｉｑｕｉｄ  Ｃｒｙｓｔａｌ  Ｄｉｓｐｌａｙ  Ｄｅｖｉｃｅ）、ＰＤＰ（Ｐｌａｓｍａ  Ｄｉｓｐｌａｙ  Ｐａｎｅｌ）、Ｅｌ（Ｅｌｅｃｔｒｏｌｕｍｉｎｅｓｃｅｎｃｅ）などの平板ディスプレイ装置及びＣＲＴ（Ｃａｔｈｏｄｅ  Ｒａｙ  Ｔｕｂｅ）などの画像表示装置の表示面に設けられ、ユーザが画像表示装置を見ながら所望の情報を選択するようにするために利用される機器である。
【０００６】
タッチパネルの種類は、抵抗膜方式（Ｒｅｓｉｓｔｉｖｅ  Ｔｙｐｅ）、静電容量方式（Ｃａｐａｃｉｔｉｖｅ  Ｔｙｐｅ）、電磁方式（Ｅｌｅｃｔｒｏ−Ｍａｇｎｅｔｉｃ  Ｔｙｐｅ）、表面弾性波方式（ＳＡＷ  Ｔｙｐｅ；Ｓｕｒｆａｃｅ  Ａｃｏｕｓｔｉｃ  Ｗａｖｅ  Ｔｙｐｅ）及び赤外線方式（Ｉｎｆｒａｒｅｄ  Ｔｙｐｅ）に区分される。このような多様な方式のタッチパネルは、信号増幅の問題、解像度の差、設計及び加工技術の難易度、光学的特性、電気的特性、機械的特性、耐環境特性、入力特性、耐久性及び経済性を考慮して電子製品に採用されるが、現在もっとも幅広い分野で用いられている方式は、抵抗膜方式タッチパネル及び静電容量方式タッチパネルである。
【０００７】
従来の静電容量方式タッチパネルの一例として、特許文献１に開示されたタッチパネルが挙げられる。上記の特許文献１に開示されたタッチパネルは、透明基板上に２軸方向を有し、且つ互いに交差する多数の電極が形成されている。
【０００８】
そして、多数の電極の一端にその電極と電気的に連結されるように配線が形成され、配線の末端に形成されるパッド部にＦＰＣＢ（Ｆｌｅｘｉｂｌｅ  Ｐｒｉｎｔｅｄ  Ｃｉｒｃｕｉｔ  Ｂｏａｒｄ；フレキシブルプリント基板）が電気的に連結される。
【０００９】
このような構造を有する従来のタッチパネルは、透明基板またはウィンドウガラス（ｗｉｎｄｏｗ  ｇｌａｓｓ）を介して外部に露出される透明基板の活性領域に前記電極が配置され、外部に露出されていない透明基板の非活性領域に前記配線が配置される。
【００１０】
配線が非活性領域に配置される理由は、配線が一般的に直線状を有するため、透明基板の活性領域に配置される前記電極とパターンの均一性を有しないためである。
【００１１】
換言すれば、前記電極がメッシュ（ｍｅｓｈ）パターンに形成される場合、直線状の配線と電極は、均一なパターンを有しない。従って、電極と配線がともに活性領域に形成される場合、タッチパネルの視認性が劣化するという問題が発生する。
【００１２】
そのため、従来のタッチパネルは、上記の特許文献１に開示されたタッチパネルと同様に、透明基板の非活性領域に配線が配置される。
【００１３】
従来のタッチパネルの構造は、上述したように配線が透明基板の非活性領域に配置されることにより、タッチパネルの非活性領域の幅が大きくなる欠点がある。
【００１４】
このような欠点により、タッチパネルの構造が適用される端末機の小型化が阻害され、または、同じサイズの機器においてタッチ領域となる透明基板の活性領域が縮小されるという限界点を有する。
【先行技術文献】
【特許文献】
【００１５】
【特許文献１】韓国公開特許第１０−２０１１−０１２０１５７号公報
【発明の概要】
【発明が解決しようとする課題】
【００１６】
本発明は、上記の従来技術の問題点を解決するためのものであって、配線が電極とともに透明基板の活性領域に配置されるようにすることで、タッチパネルの非活性領域の幅が縮小されるタッチパネルを提供することをその目的とする。
【００１７】
また、本発明は、透明基板の電極と配線が均一なパターンに形成されるようにして、タッチパネルの視認性が向上するタッチパネルを提供することをその目的とする。
【課題を解決するための手段】
【００１８】
本発明の一実施例によるタッチパネルは、透明基板と、前記透明基板にメッシュ（ｍｅｓｈ）パターンに形成される電極と、前記透明基板に波形パターン（ｗａｖｙ  ｐａｔｔｅｒｎ）に形成され、長さ方向に沿って交互に連続する曲状の第１ピーク及び第２ピークを有して、前記電極に連結される配線と、を含む。
【００１９】
本発明の一実施例によるタッチパネルにおいて、前記電極は、同一形状の平行四辺形パターンが連続して配列されるメッシュパターンに形成され、前記電極の列パターンは、多数の前記平行四辺形パターンの第１対角線が第１方向の同一線上につながるように、前記平行四辺形パターンが第１方向に沿って連続して配列されていることが好ましい。
【００２０】
本発明の一実施例によるタッチパネルにおいて、前記配線は、前記電極の第１列パターンに近接して配置され、第１方向に長く形成されることが好ましい。
【００２１】
本発明の一実施例によるタッチパネルにおいて、前記第１列パターン側に向かう前記配線の第１ピークは、前記第１列パターンを形成する前記平行四辺形パターンの第２対角線方向に位置する頂点のうち前記配線側に近い頂点に直接連結されることが好ましい。
【００２２】
本発明の一実施例によるタッチパネルにおいて、前記配線の第１ピーク間の幅は、前記平行四辺形パターンの第１対角線の幅と同一であることが好ましい。
【００２３】
本発明の一実施例によるタッチパネルにおいて、前記電極と前記配線は、同一の材料で一体に形成されることが好ましい。
【００２４】
本発明の一実施例によるタッチパネルにおいて、前記透明基板は活性領域と非活性領域とに区画され、前記電極及び前記配線は前記活性領域に形成されることが好ましい。
【００２５】
本発明の他の実施例によるタッチパネルは、透明基板と、前記透明基板にメッシュ（ｍｅｓｈ）パターンに形成され、前記メッシュパターンに切開部が形成されて第１電極と第２電極とに区画される電極アレイと、前記透明基板に波形パターン（ｗａｖｙ  ｐａｔｔｅｒｎ）に形成され、長さ方向に沿って交互に連続する曲状の第１ピーク及び第２ピークを有する第１配線及び第２配線を含み、前記第１配線は前記第１電極に連結され、前記第２配線は前記第２電極に連結される配線アレイと、を含む。
【００２６】
本発明の他の実施例によるタッチパネルにおいて、前記第１電極と前記第２電極は、前記電極アレイを形成する前記メッシュパターンに横方向に沿って切開部が形成されて縦方向に配置されることが好ましい。
【００２７】
本発明の他の実施例によるタッチパネルにおいて、前記第１電極及び前記第２電極は、同一形状の平行四辺形パターンが連続して配列されるメッシュパターンに形成され、前記第１電極の列パターン及び前記第２電極の列パターンは、多数の前記平行四辺形パターンの第１対角線が縦方向の同一線上につながるように、前記平行四辺形パターンが縦方向に連続して配列されていることが好ましい。
【００２８】
本発明の他の実施例によるタッチパネルにおいて、前記第１電極の第１列パターンは、前記第２電極の第２列パターンと同一線上に形成されることが好ましい。
【００２９】
本発明の他の実施例によるタッチパネルにおいて、前記第１配線は、前記第１電極の第１列パターンに近接して配置され、縦方向に長く形成されて、前記第２配線は、前記第２電極の第１列パターンに近接して配置され、縦方向に長く形成されることが好ましい。
【００３０】
本発明の他の実施例によるタッチパネルにおいて、前記第１配線及び前記第２配線の前記第１ピーク間の幅は、前記平行四辺形パターンの第１対角線の幅と同一であることが好ましい。
【００３１】
本発明の他の実施例によるタッチパネルにおいて、前記第１電極の第１列パターン側に向かう前記第１配線の第１ピークは、前記第１電極の第１列パターンを形成する前記平行四辺形パターンの頂点のうち前記第１配線側に向かう頂点に直接連結されることが好ましい。
【００３２】
本発明の他の実施例によるタッチパネルにおいて、前記第２電極の第１列パターン側に向かう前記第２配線の第１ピークは、前記第２電極の第１列パターンを形成する前記平行四辺形パターンの頂点のうち前記第２配線側に向かう頂点に直接連結されることが好ましい。
【００３３】
本発明の他の実施例によるタッチパネルにおいて、前記透明基板には、前記第１配線と前記第２配線が互いに隣接して平行に配置される隣接区間が形成されることが好ましい。
【００３４】
本発明の他の実施例によるタッチパネルにおいて、前記隣接区間で、前記第１配線の第２ピークと前記第２配線の第１ピークが互いに対向して離隔されていることが好ましい。
【００３５】
本発明の他の実施例によるタッチパネルにおいて、前記隣接区間で、前記第１配線の第１ピークと前記第２配線の第２ピークとの間の直線距離が前記平行四辺形パターンの第２対角線の幅と同一であり、前記第１配線の第１ピークと前記第２配線の第２ピークとの間を連結する直線方向が前記直線方向に配置された前記平行四辺形パターンの第２対角線方向と一致することが好ましい。
【００３６】
本発明の他の実施例によるタッチパネルにおいて、前記電極アレイ及び前記配線アレイは、同一の材料で形成されることが好ましい。
【００３７】
本発明の他の実施例によるタッチパネルにおいて、前記透明基板は、活性領域と非活性領域とに区画され、前記電極アレイ及び前記配線アレイは前記活性領域に形成されることが好ましい。
【発明の効果】
【００３８】
本発明によると、配線または配線アレイが電極または電極アレイを形成するメッシュパターンと調和をとり、電極または電極アレイとともに全体的に均一に見えるパターンを有することになる。これにより、配線または配線アレイが透明基板の活性領域に配置される場合にも、良好なタッチパネルの視認性が得られる。
【００３９】
また、上記の利点により、透明基板の非活性領域を縮小することができ、透明基板の非活性領域が縮小されることにより、タッチパネルのベゼル部の幅を縮小することができる。これにより、タッチパネルの構造を小型化し、同一のタッチパネル面積において画面領域がより広くなるという利点が提供される。
【図面の簡単な説明】
【００４０】
【図１】本発明の第１実施例によるタッチパネルの透明基板を示した平面図である。
【図２】本発明の第１実施例によるタッチパネルの電極を示した平面図である。
【図３】図２に図示された電極の要部拡大図である。
【図４】図２に図示された電極に配線が連結された構造を示した要部平面図である。
【図５】本発明の第２実施例によるタッチパネルの電極アレイ及び配線アレイを示した平面図である。
【図６】図５に図示されたＡ領域を拡大した要部拡大図である。
【図７】図５に図示されたＢ領域を拡大した要部拡大図である。
【図８】図５に図示されたＣ領域を拡大した要部拡大図である。
【図９】図５に図示された配線アレイを拡大した要部拡大図である。
【図１０】本発明の第３実施例によるタッチパネルの電極アレイ及び配線アレイを示した平面図である。
【発明を実施するための形態】
【００４１】
本発明の目的、特定の長所及び新規の特徴は、添付図面に係る以下の詳細な説明及び好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、「一面」、「他面」、「第１」、「第２」などの用語は、一つの構成要素を他の構成要素から区別するために用いられるものであり、構成要素が前記用語によって限定されるものではない。以下、本発明を説明するにあたり、本発明の要旨を不明瞭にする可能性がある係る公知技術についての詳細な説明は省略する。
【００４２】
以下、添付図面を参照して、本発明の好ましい実施例を詳細に説明する。
【００４３】
図１は、本発明の第１実施例によるタッチパネルの透明基板を示した平面図であり、図２は、本発明の第１実施例によるタッチパネルの電極を示した平面図であり、図３は、図２に図示された電極の要部拡大図であり、図４は、図２に図示された電極に配線が連結された構造を示した要部平面図である。
【００４４】
図１から図４に図示されたように、本発明の第１実施例によるタッチパネルは、透明基板１００と、前記透明基板１００にメッシュ（ｍｅｓｈ）パターンに形成される電極２００と、前記透明基板１００に波形パターン（ｗａｖｙ  ｐａｔｔｅｒｎ）に形成され、長さ方向に沿って交互に連続する曲状の第１ピーク３１１及び第２ピーク３１２を有して、前記電極２００に連結される配線３１０と、を含む。
【００４５】
透明基板１００は、電極２００及び配線３１０が形成される領域を提供する役割を遂行する。透明基板１００は、電極２００及び配線３１０を支持することができる支持力と、画像表示装置から提供される画像をユーザが認識できるようにする透明性を備えなければならない。
【００４６】
上述の支持力及び透明性を考慮して、透明基板１００は、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルスルフォン（ＰＥＳ）、環状オレフィンコポリマー（ＣＯＣ）、トリアセチルセルロース（Ｔｒｉａｃｅｔｙｌｃｅｌｌｕｌｏｓｅ；ＴＡＣ）フィルム、ポリビニルアルコール（Ｐｏｌｙｖｉｎｙｌ  ａｌｃｏｈｏｌ；ＰＶＡ）フィルム、ポリイミド（Ｐｏｌｙｉｍｉｄｅ；ＰＩ）フィルム、ポリスチレン（Ｐｏｌｙｓｔｙｒｅｎｅ；ＰＳ）、二軸延伸ポリスチレン（Ｋ樹脂含有ｂｉａｘｉａｌｌｙ  ｏｒｉｅｎｔｅｄ  ＰＳ；ＢＯＰＳ）、ガラスまたは強化ガラスなどで形成することが好ましいが、必ずしもこれに限定されるものではない。
【００４７】
一方、透明基板１００は、タッチパネルの最外側に備えられるウィンドウ（Ｗｉｎｄｏｗ）であることが好ましい。透明基板１００がウィンドウである場合、後述する電極２００がウィンドウに直接形成されるため、タッチパネルの製造工程において、別の透明基板１００に電極２００を形成した後、ウィンドウに付着する工程を省略することができ、タッチパネルの全体的な厚さを減少することができる。
【００４８】
透明基板１００は、図１に図示されたように、活性領域１０１と、この活性領域１０１の縁の外側に配置される非活性領域１０２とに区画されることができる。活性領域１０１は、ユーザによるタッチ作用がなされる領域であり、ユーザがタッチパネルの動作場面を視覚的に確認する画面領域である。また、非活性領域１０２は、透明基板１００の縁またはウィンドウの縁に形成される黒色または白色のベゼル部（不図示）により覆われて外部に露出されない領域である。
【００４９】
電極２００は、ユーザのタッチ時に信号を発生させて、コントローラ（不図示）でタッチ座標を認識できるようにする役割を遂行する。電極２００から発生する信号は、後述する配線３１０を介してコントローラ（不図示）に伝達される。
【００５０】
電極２００は、透明基板１００にメッシュ（ｍｅｓｈ）パターンに形成される。電極２００を形成するメッシュパターンの具体的な一例として、図２に図示されたように同一形状の平行四辺形パターンＰが連続して配列されるパターンからなることができる。図２及び図３は、平行四辺形パターンＰが菱形からなる例を一例として図示している。但し、平行四辺形パターンＰは、必ずしも四つの辺の長さが同一である必要はない。
【００５１】
電極２００の列パターンＦは、第１方向、例えば、図２を基準として縦方向に連続して配列された多数の平行四辺形パターンＰからなることができる。この際、多数の平行四辺形パターンＰは、平行四辺形パターンＰの第１対角線Ｄ１が第１方向に同一線上につながるように、第１方向に連続して配列されて前記列パターンＦを形成することができる。また、電極２００は、前記列パターンＦが第１方向に直交する方向、即ち、図２を基準として横方向に連続して配列されるパターンからなることができる。
【００５２】
以下では、説明の便宜のために、電極２００の何れか一側端、例えば、図３を基準として電極２００の左側端に配置された電極２００の列パターンＦから順に、第１列パターンＦ１、第２列パターンＦ２、第３列パターンＦ３などと称する。
【００５３】
配線３１０は、前記電極２００に電気的に連結され、電極２００から発生するタッチ信号をコントローラに伝達する役割を遂行する。配線３１０は、一端部が電極２００に連結され、他端部が図１に図示された透明基板１００の非活性領域１０２に位置することができる。また、コントローラと連結されるＦＰＣＢ（Ｆｌｅｘｉｂｌｅ  Ｐｒｉｎｔｅｄ  Ｃｉｒｃｕｉｔ  Ｂｏａｒｄ；フレキシブルプリント基板）が配線３１０の他端部に電気的に接続することができる。
【００５４】
一方、電極がメッシュパターンに形成される場合で、電極と連結される配線が従来のタッチパネル構造のように直線状に形成されると、配線は、透明基板１００の活性領域１０１に配置されることができない。配線が電極を形成するパターンと均一な形態を有することができず、タッチパネルの視認性が劣化するためである。
【００５５】
従って、直線状に形成される配線は、非活性領域１０２に形成されるしかなく、これにより、従来のタッチパネルは、非活性領域１０２が広く形成されるという欠点があった。
【００５６】
本発明は、配線と電極が全体的に均一なパターンをなすようにすることで、配線が透明基板１００の活性領域１０１に配置される場合にも、タッチパネルの良好な視認性を維持するとともに、非活性領域１０２を縮小させることをその解決すべき課題としている。
【００５７】
本実施例は、上記の課題を解決するために、図４に図示されたように、配線３１０が透明基板１００に波形パターン（ｗａｖｙ  ｐａｔｔｅｒｎ）に形成される。配線３１０が波形パターンに形成される理由は、次のとおりである。
【００５８】
図３に図示された第１列パターンＦ１を左右に半分して見ると、第１列パターンＦ１の左側部分は、縦方向に沿って連続して山と谷が形成されるジグザグ状を有することが分かる。従って、配線３１０が、第１列パターンＦ１の左側の縦方向に沿って形成されるジグザグ状に近い形状に形成され、透明基板１００に電極２００を形成するメッシュパターンと適切に調和する位置に形成されると、電極２００と配線３１０は、全体的に均一なパターンを示すことができる。電極２００と配線３１０がこのように全体的に均一なパターンを示すと、配線３１０が電極２００とともに透明基板１００の活性領域１０１に形成される場合にも、タッチパネルの視認性が劣化する問題が発生しない。
【００５９】
そのために、配線３１０は、前記ジグザグ状に近い波形パターンに形成される。配線３１０が波形パターンに形成されることにより、長さ方向に沿って交互に連続する山と谷が形成される。この際、山と谷のうち何れか一つは、第１ピーク３１１となり、他の一つは第２ピーク３１２となる。また、第１ピーク３１１及び第２ピーク３１２は、尖った形状でなく曲状に形成される。
【００６０】
配線３１０は、電極２００とともに均一なパターンをなすことができる透明基板１００上の多様な位置に形成されることができる。配線３１０の配置位置に関する具体的な一例として、配線３１０は、電極２００の左側辺を形成する第１列パターンＦ１に近接して配置され、透明基板１００に第１方向に長く形成させることができる。
【００６１】
この際、配線３１０は、別の連結ライン（不図示）により電極２００の第１列パターンＦ１と連結されることができる。または、図４に図示されたように、第１列パターンＦ１側に向かう配線３１０の第１ピーク３１１が第１列パターンＦ１に直接連結させることもできる。後者の配線構造についてより具体的に説明すると、第１列パターンＦ１を形成する平行四辺形パターンＰは、第２対角線Ｄ２（図２参照）方向に位置する頂点のうち何れか一つＶａが配線３１０側に近く位置する。配線３１０は、図４に図示されたように、第１ピーク３１１がこの頂点Ｖａに直接連結されることにより電極２００と連結させることができる。
【００６２】
また、配線３１０は、長さ方向に沿って形成される多数の第１ピーク３１１のうち何れか一つのみが第１列パターンＦ１に連結されてもよく、または図４に図示されたように、多数の第１ピーク３１１が第１列パターンＦ１の多数の頂点Ｖａにそれぞれ対応して連結されてもよい。そのために、配線３１０の第１ピーク３１１間の幅Ｗは、平行四辺形パターンＰの第１対角線Ｄ１（図２参照）の幅と同一であることができる。
【００６３】
一方、上述の電極２００及び配線３１０は、高い電気伝導度を有し、加工が容易な金属からなることができる。金属は、例えば、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組合せからなる金属が用いられることができる。電極２００及び配線３１０は、メッキ工程や蒸着工程などの様々な方法により、透明基板１００に形成させることができ、この際、電極２００と配線３１０が一体に形成させることも可能である。
【００６４】
さらに、電極２００及び配線３１０は、上述の金属の他にも、銀塩乳剤層を露光／現像して形成された金属銀で形成させることもできる。
【００６５】
以下、添付図面を参照して、本発明の第２実施例を詳細に説明する。但し、第１実施例で説明された内容と重複される内容は以下で省略する。
【００６６】
図５は、本発明の第２実施例によるタッチパネルの電極アレイ及び配線アレイを示した平面図であり、図６は、図５に図示されたＡ領域を拡大した要部拡大図であり、図７は、図５に図示されたＢ領域を拡大した要部拡大図であり、図８は、図５に図示されたＣ領域を拡大した要部拡大図であり、図９は、図５に図示された配線アレイを拡大した要部拡大図である。
【００６７】
図５から図９に図示されたように、本実施例によるタッチパネルは、透明基板１００（図１参照）と、前記透明基板１００にメッシュパターン（ｍｅｓｈ  ｐａｔｔｅｒｎ）に形成され、前記メッシュパターンに切開部４０１が形成されて第１電極４１１と第２電極４１２とに区画される電極アレイ４００と、前記透明基板１００に波形パターン（ｗａｖｙ  ｐａｔｔｅｒｎ）に形成され、長さ方向に沿って交互に連続する曲状の第１ピーク５１１、５２１及び第２ピーク５１２、５２２を有する第１配線５１０及び第２配線５２０を含み、前記第１配線５１０が前記第１電極４１１に連結され、前記第２配線５２０が前記第２電極４１２に連結される配線アレイ５００と、を含む。
【００６８】
図５に図示されたように、電極アレイ４００は、透明基板１００にメッシュパターンに形成される。電極アレイ４００のメッシュパターンは、透明基板１００の活性領域１０１で一定領域を占めて形成させることができる。また、このような電極アレイ４００は、透明基板１００に特定方向に沿って多数を形成させることもできる。
【００６９】
電極アレイ４００は、電極アレイ４００を形成するメッシュパターンに切開部４０１が形成されて第１電極４１１と第２電極４１２とに区画される。または、第１電極４１１と第２電極４１２を含む三つ以上の電極４１０、４１１、４１２、…に区画させることもできる。
【００７０】
図５は、電極アレイ４００を形成するメッシュパターンに切開部４０１が横方向に沿って形成されて第１電極４１１と第２電極４１２とに区画される例を図示している。この際、第１電極４１１と第２電極４１２は、縦方向に配置される。
【００７１】
第１電極４１１と第２電極４１２は、図６に図示されたように、第１電極４１１と第２電極４１２との間に形成されたメッシュパターンが切断されて互いに区画されることができるが、切開部４０１は、この切断された部位を意味する。
【００７２】
電極アレイ４００を形成するメッシュパターンは、第１実施例の電極２００を形成するメッシュパターンと同一である。また、電極アレイ４００で区画される電極４１０、４１１、４１２は、様々な輪郭を有することができる。図５に図示された電極４１０、４１１、４１２の輪郭は、一例にすぎない。
【００７３】
配線アレイ５００は、上記したように電極アレイ４００が第１電極４１１と第２電極４１２とに区画される場合、第１電極４１１に連結される第１配線５１０と第２電極４１２に連結される第２配線５２０とを含んでなることができる。また、配線アレイ５００は、電極アレイ４００が第１電極４１１及び第２電極４１２を含む三つ以上の電極に区画される場合、第１配線５１０と第２配線５２０とからなるか、または第１配線５１０と第２配線５２０を含む三つ以上の配線からなることができる。
【００７４】
例えば、図５に図示された多数の電極４１０、４１１、４１２、…のうち参照符号４１０で表示された電極は、透明基板１００の非活性領域１０２に最も近接して配置される外側電極４１０であることができる。この場合、外側電極４１０と連結される配線は、敢えて外側電極４１０の横方向の一側に近接して配置される必要がない。外側電極４１０に連結される配線は、非活性領域１０２に向かう外側電極４１０の一側に連結され、非活性領域１０２につながるように形成されればよい。従って、配線アレイ５００に含まれる配線の個数は、このような外側電極４１０を考慮して、電極アレイ４００に形成される電極４１０、４１１、４１２、…のうち外側電極４１０を除いた電極の個数に対応する個数からなることができる。図５は、外側電極４１０と連結される配線が外側電極４１０の横方向の一側に形成されていないことを示している。また、配線アレイ５００が第１電極４１１に連結される第１配線５１０と第２電極４１２に連結される第２配線５２０からなる例を図示している。
【００７５】
第１配線５１０及び第２配線５２０は、第１実施例で説明した配線３１０（図４参照）と同様に、曲状の第１ピーク５１１、５２１及び第２ピーク５１２、５２２を有する波形パターンに形成される。
【００７６】
第１配線５１０は、図７に図示されたように第１電極４１１と連結される。第１配線５１０は、第１電極４１１の第１列パターン１Ｆ１に近接して配置させることができ、第１方向、例えば、縦方向に長く形成させることができる。また、第１配線５１０の第１ピーク５１１が、第１電極４１１の第１列パターン１Ｆ１に近接する頂点Ｖａに直接連結させることができる。この際、外側電極４１０の第１列パターン０Ｆ１の側面に近接して配置される第１配線５１０の延長された部位は外側電極４１０と離隔される。
【００７７】
第２配線５２０は、図８に図示されたように、第２電極４１２と連結される。第２配線５２０は、第２電極４１２の第１列パターン２Ｆ１に近接して配置され、縦方向に長く形成させることができる。また、第２配線５２０も第１配線５１０と同様に、第１ピーク５２１が第２電極４１２の第１列パターン２Ｆ１に近接する頂点Ｖａに直接連結させることができる。
【００７８】
この際、第２配線５２０は、第１配線５１０の長さ方向に平行に長く形成され、第１配線５１０と重なり合わないように、第２電極４１２の第１列パターン２Ｆ１が第１電極４１１の第１列パターン１Ｆ１より横方向に突出される形態に形成させることができる。即ち、第２電極４１２は、第２電極４１２の第２列パターン２Ｆ２が、第１電極４１１の第１列パターン１Ｆ１と同一線上に形成される形態に形成させることができる。この場合、第２電極４１２は、左側辺が第１電極４１１の左側辺より列パターンＦの半幅だけ左側に突出される形態を有する。従って、第２配線５２０は、第２電極４１２の第１列パターン２Ｆ１に直接連結されて、縦方向に長く形成されても、第１配線５１０と重なり合うことなく、平行に形成させることができる。
【００７９】
一方、図８に表示された参照符号５３０は、第１配線５１０の端部から第１列パターン２Ｆ１の最上側に位置する平行四辺形パターンＰの頂点Ｖｂに連結される連結パターンを表示したものである。上述したように、第２電極４１２は、第１電極４１１より左側辺が左側に突出されて形成されるため、第１配線５１０の端部と第２電極４１２の第１列パターン２Ｆ１との間には、パターンが連続されない空間が形成される可能性がある。このような空間は、タッチパネルの視認性を劣化させる要因となり得る。従って、第１配線５１０の端部で、第１配線５１０のパターンが連続する形態を有する連結パターン５３０が形成され、この連結パターン５３０が第１列パターン２Ｆ１の平行四辺形パターンＰの頂点Ｖｂに連結されることにより、電極アレイ４００と配線アレイ５００は、前記空間が形成されることなく全体的に均一なパターンをなすことができる。この際、連結パターン５３０には、第１配線５１０と第２電極４１２との間が絶縁されることができるように、図示されたように、切開部５３１を形成することができる。
【００８０】
第１配線５１０及び第２配線５２０は、図７及び図８に図示されたように、多数の第１ピーク５１１、５２１が、それぞれ第１列パターン１Ｆ１、２Ｆ１の多数の頂点Ｖａに対応して直接連結させることができる。そのために、第１配線５１０の第１ピーク５１１間の幅１Ｗ１（図９参照）及び第２配線５２０の第１ピーク５２１間の幅２Ｗ１（図９参照）は、平行四辺形パターンＰの第１対角線Ｄ１の幅と同一であることができる。
【００８１】
一方、透明基板１００には、図８及び図９に図示されたように、第１配線５１０と第２配線５２０が互いに隣接して平行に配置される隣接区間Ｓを形成することができる。
【００８２】
この際、隣接区間Ｓで、第１配線５１０の第２ピーク５１２と第２配線５２０の第１ピーク５２１が互いに対向し、互いに絶縁されるように離隔させることができる。
【００８３】
第１及び第２配線５１０、５２０は、上述のように波形パターンに形成され、第１ピーク５１１、５２１と第２ピーク５１２、５２２は、尖った形状でなく曲状に形成されるため、第１及び第２配線５１０、５２０が隣接区間Ｓで平行四辺形パターンＰに近接するパターンを形成するために互いに近接して配置されても、対向する第１配線５１０の第２ピーク５１２と第２配線５２０の第１ピーク５２１とが離隔される空間を確保することができる。
【００８４】
一方、第１配線５１０及び第２配線５２０により形成される隣接区間Ｓのパターンは、電極アレイ４００を形成するメッシュパターンと全体的に均一に見えることが好ましい。
従って、上述したように、第１配線５１０及び第２配線５２０の第１ピーク５１１、５２１間の幅１Ｗ１、２Ｗ１が平行四辺形パターンＰの第１対角線Ｄ１（図２参照）の幅と同一であり、隣接区間Ｓで第１配線５１０の第２ピーク５１２と第２配線５２０の第１ピーク５２１が互いに対向するように形成される場合、隣接区間Ｓでは図９に図示されたように、第１配線５１０の第１ピーク５１１と第２配線５２０の第２ピーク５２２とを連結する直線ＰＬ距離が平行四辺形パターンＰの第２対角線Ｄ２の幅と同一であることができる。また、前記直線ＰＬの方向は、この直線ＰＬ方向側に配置された平行四辺形パターンＰａの第２対角線Ｄ２方向と一致することができる。
【００８５】
配線アレイ５００がこのように形成されることにより、隣接区間Ｓは、第１配線５１０及び第２配線５２０により、平行四辺形パターンＰと類似したパターンが縦方向に連続して配列される形態を有することになる。従って、配線アレイ５００は、電極アレイ４００と全体的に均一なパターンを示すことができ、透明基板１００の活性領域１０１に電極アレイ４００とともに形成される場合にも、タッチパネルの良好な視認性を維持することができる。
【００８６】
一方、本実施例では、第１実施例と同様に、電極アレイ４００を形成するメッシュパターン及び配線アレイ５００を形成するパターンが同一の材料で形成させることができる。具体的な材料及び形成方法は、第１実施例で既に説明されたため省略する。
【００８７】
以下、添付図面を参照して、本発明の第３実施例を詳細に説明する。但し、第１実施例及び第２実施例で説明された内容と重複される内容は以下で省略する。
【００８８】
図１０は、本発明の第３実施例によるタッチパネルの電極アレイ及び配線アレイを示した平面図である。
【００８９】
本実施例の電極アレイは、メッシュパターンに切開部６０１が形成されて多数の電極に区画されるが、この際、縦方向に１列に配列される多数のＸ電極６１１、６１２、６１３、…と縦方向に１列に配列される多数のＹ電極６２１、６２２、６２３、…とに区画される点で、第２実施例の電極アレイ４００と異なる。
【００９０】
配線アレイは、多数のＸ電極６１１、６１２、６１３、…と連結される多数のＸ配線７１０及び多数のＹ電極６２１、６２２、６２３、…と連結される多数のＹ配線７２０を含む。この際、Ｘ配線７１０は、Ｘ電極６１１、６１２、６１３、…の横方向の一側に配置されて多数のＸ電極６１１、６１２、６１３、…の全部または一部と連結され、Ｙ配線７２０は、Ｙ電極６２１、６２２、６２３、…の横方向の他側に配置されてＹ電極６２１、６２２、６２３、…の全部または一部と連結させることができる。
【００９１】
多数のＸ配線７１０とＹ配線７２０が、多数のＸ電極６１１、６１２、６１３、…とＹ電極６２１、６２２、６２３、…にそれぞれ連結される構造は、第２実施例の電極４１１、４１２及び配線５１０、５２０の連結構造についての説明により理解することができるため、下記で詳細な説明を省略する。
【００９２】
本実施例は、例えば、電極アレイを構成する多数のＸ電極６１１、６１２、６１３、…を検知電極として、また多数のＹ電極６２１、６２２、６２３、…を駆動電極として用いることができる。
【００９３】
本実施例は、透明基板１００（図１参照）の活性領域１０１に電極アレイと配線アレイが上記のように形成されることにより、電極アレイと配線アレイが全体的に均一なパターンを形成することになる。
【００９４】
また、透明基板１００の活性領域１０１に上述の電極アレイと配線アレイが多数形成されて特定方向に隣接して形成される場合にも、多数の電極アレイ及び多数の配線アレイは、全体的に均一なパターンを形成することができる。
【００９５】
本発明によると、上述した実施例の説明から分かるように、電極と配線、または電極アレイと配線アレイが全体的に均一なパターンを示すように形成されるため、配線または配線アレイが電極または電極アレイとともに透明基板の活性領域に配置することができ、これにより、透明基板の非活性領域を縮小することができる。
【００９６】
以上、本発明を具体的な実施例に基づいて詳細に説明したが、これは本発明を具体的に説明するためのものであり、本発明はこれに限定されず、該当分野における通常の知識を有する者であれば、本発明の技術的思想内にての変形や改良が可能であることは明白であろう。
【００９７】
本発明の単純な変形乃至変更はいずれも本発明の領域に属するものであり、本発明の具体的な保護範囲は添付の特許請求の範囲により明確になるであろう。
【産業上の利用可能性】
【００９８】
本発明は、良好な視認性が得られるとともに、構造を小型化し、同一のタッチパネル面積において画面領域がより広くなるタッチパネルに適用可能である。
【符号の説明】
【００９９】
１００  透明基板
１０１  活性領域
１０２  非活性領域
２００  電極
３１０  配線
３１１  第１ピーク
３１２  第２ピーク
４００  電極アレイ
４０１  切開部
４１０  外側電極
４１１  第１電極
４１２  第２電極
５００  配線アレイ
５１０  第１配線
５１１  第１ピーク
５１２  第２ピーク
５２０  第２配線
５２１  第１ピーク
５２２  第２ピーク
５３０  連結パターン
５３１  切開部
６０１  切開部
６１１、６１２、６１３  Ｘ電極
６２１、６２２、６２３  Ｙ電極
７１０  Ｘ配線
７２０  Ｙ配線
【図１】
2014038580.tif 000003
【図２】
2014038580.tif 000004
【図３】
2014038580.tif 000005
【図４】
2014038580.tif 000006
【図５】
2014038580.tif 000007
【図６】
2014038580.tif 000008
【図７】
2014038580.tif 000009
【図８】
2014038580.tif 000010
【図９】
2014038580.tif 000011
【図１０】
2014038580.tif 000012